【事件の表示】
　特許第３０１１５４２号「インクジェット記録装置」の請求項１ないし６に係る特許に対する特許異議の申立てについて、次のとおり決定する。
【結　論】
　訂正を認める。
　特許第３０１１５４２号の請求項１ないし６に係る特許を維持する。
【理　由】
１．手続きの経緯
　本件特許第３０１１５４２号発明は、平成４年６月２日に特許出願され、平成１１年１２月１０日にその特許の設定登録がなされ、その後、神尾誠より請求項１乃至６に係る発明について特許異議の申立てがなされ、取消理由通知がなされ、その指定期間内である平成１３年８月１７日に訂正請求がなされたものである。
　
２．訂正の適否についての判断
（１）訂正の要旨
　１）訂正事項ａ
　本件特許明細書の特許請求の範囲の請求項１中の、「前記記録手段の吐出口をキャッピングするためのキャップと、」を「前記記録手段の吐出口に向かって前進して該吐出口をキャッピングするためのキャップと、」に訂正し、「該キャリッジの往復移動方向に関して前記キャリッジを固定するためのキャリッジロック部と、」を「前記キャップの正面視において、該正面視における垂直成分が前記キャップと所定長さにわたり水平方向に重複するように配置され、前記キャップの前進方向と同じ方向に移動することによりキャッピング位置にある前記キャリッジを一箇所の嵌合で該キャリッジの往復移動の両方向に関して固定できるキャリッジロック部と、」に訂正する。
　２）訂正事項ｂ
　本件特許明細書の段落【００１１】及び段落【００４２】中の、「前記記録手段の吐出口をキャッピングするためのキャップと、」を「前記記録手段の吐出口に向かって前進して該吐出口をキャッピングするためのキャップと、」に訂正し、「該キャリッジの往復移動方向に関して前記キャリッジを固定するためのキャリッジロック部と、」を「前記キャップの正面視において、該正面視における垂直成分が前記キャップと所定長さにわたり水平方向に重複するように配置され、前記キャップの前進方向と同じ方向に移動することによりキャッピング位置にある前記キャリッジを一箇所の嵌合で該キャリッジの往復移動の両方向に関して固定できるキャリッジロック部と、」に訂正する。
　
（２）訂正の目的、新規事項の有無、拡張変更の存否の各要件についての判断
　１）訂正事項ａ
　本訂正は、願書に添付した明細書又は図面に記載した事項（特に、明細書段落【００２１】〜【００２３】、【００２４】〜【００２８】及び図４，５〜７等参照）の範囲内で、キャップとキャリッジロック部の移動方向、キャリッジロック部の配置、及びキャリッジロック部によるキャリッジの固定について限定するものであり、特許請求の範囲の減縮を目的とし、新規事項の追加に該当せず、実質上特許請求の範囲を拡張し又は変更するものでもない。
　２）訂正事項ｂ
　本訂正は、訂正事項ａにより訂正された特許請求の範囲に発明の詳細な説明の記載を整合させるための訂正であり、明りょうでない記載の釈明を目的とし、新規事項の追加に該当せず、実質上特許請求の範囲を拡張し又は変更するものでもない。
　
（３）訂正の適否のまとめ
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める
　
３．異議申立てについての判断
（１）本件請求項１乃至６に係る発明
　本件請求項１乃至６に係る発明は、訂正明細書及び図面の記載からみて、訂正明細書の特許請求の範囲の請求項１乃至６に記載された次のとおりのものである
「【請求項１】記録手段の吐出口からインクを吐出して被記録材に記録を行なうインクジェット記録装置において、前記記録手段の吐出口に向かって前進して該吐出口をキャッピングするためのキャップと、前記記録手段を搭載して往復移動するキャリッジと、前記キャップの正面視において、該正面視における垂直成分が前記キャップと所定長さにわたり水平方向に重複するように配置され、前記キャップの前進方向と同じ方向に移動することによりキャッピング位置にある前記キャリッジを一箇所の嵌合で該キャリッジの往復移動の両方向に関して固定できるキャリッジロック部と、を有し、前記キャリッジロック部により前記キャリッジを固定した後に、前記キャップにより前記記録手段の吐出口をキャッピングすることを特徴とするインクジェット記録装置。
　【請求項２】前記キャリッジが前記吐出口をキャッピングし得る位置にきたときに前記キャップおよび前記キャリッジロック部を一体もしくは連動して該キャリッジに向けて移動させ、前記キャップが前記記録手段に当接するまでの移動距離を前記キャリッジロック部が前記キャリッジに対し該キャリッジの位置決めに最低必要な長さだけ嵌合するまでの移動距離より長く設定することを特徴とする請求項１に記載のインクジェット記録装置。
　【請求項３】前記キャップおよび前記キャリッジロック部は、前記キャリッジに対し前進後退方向に移動可能なキャップホルダーに設けられていることを特徴とする請求項１又は２に記載のインクジェット記録装置。
　【請求項４】前記キャリッジロック部が前記キャリッジに対し該キャリッジの位置決めに最低必要な長さだけ嵌合した後に、前記キャップの記録手段に向かう移動を開始させることを特徴とする請求項１に記載のインクジェット記録装置。
　【請求項５】前記記録手段は、熱エネルギーを利用してインクを吐出するインクジェット記録手段であって、熱エネルギーを発生するための電気熱変換体を備えたものであることを特徴とする請求項１〜４のいずれかに記載のインクジェット記録装置。
　【請求項６】前記記録手段は、前記電気熱変換体によって印加される熱エネルギーによりインクに生じる膜沸騰を利用して、吐出口よりインクを吐出させることを特徴とする請求項５に記載のインクジェット記録装置。」（以下、請求項１，２，３，４，５，６に係る発明を、それぞれ、「本件発明１」、「本件発明２」、「本件発明３」、「本件発明４」、「本件発明５」、「本件発明６」という）。
　
（２）異議申立ての理由と証拠
　これに対し、異議申立人は甲第１乃至３号証を提出し、本件発明１乃至６は、甲第１乃至３号証に記載された発明に基づいて当業者が容易に発明をすることができたものであるから、特許法第２９条第２項の規定により特許を受けることができないとしている（当審が通知した取消理由はこれを採用したものである）。
　甲第１乃至３号証とそれらの記載事項は次のとおりである。
　１）甲第１号証：特開平２−６１４４号公報
　ａ．「インクジェット記録装置は、ヘッドに設けたインク吐出手段を印字データに基づいて駆動し、インク吐出口から噴出するインク滴により用紙上にドットパターンを形成していくよう構成されている。」（１頁右下欄３〜７行）
　ｂ．「キャリッジ１６は、左右の側板ｌａ、ｌｂ間に固定された前後のガイド軸１４、１５により摺動可能に支持されている。」（２頁左下欄３〜５行）
　ｃ．「キャリッジ１６上にはインクカートリッジ１９および印字ヘッド２０が搭載されている。」（２頁左下欄１２〜１３行）
　ｄ．「印字ヘッド２０が印字範囲外の例えば左端（ホームポジション）へ移動した時に該印字ヘッドと対向する位置にキャップホルダー２４が設けられている。このキャップホルダー２４の前面部にはキャリッジ１６が対向した時保持部１６ａと係合する係止部２４ａが設けられており、キャッピング中にキャリッジ１６が移動しないように係止する構造になっている。前記キャップホルダー２４は前後に（印字ヘッド２０に密着・離反する方向に）移動可能であり、該キャップホルダーには前後移動を案内するスライド溝２４ｂ並びに後述するカムで押圧される押圧端２４ｃが設けられている。前記キャップホルダー２４は不図示のばねにより常に印字ヘッド２０から離れる方向に付勢されており、押圧端２４ｃを押圧することにより前進駆動され印字ヘッド２０の印字面をキャッピングする。」（２頁右下欄１５行〜３頁左上欄１３行）
　ｅ．「第２図において、（Ａ）に示すようにキャリッジピニオン１８によって回復ギヤ２７が回転駆動し出すと、（Ｂ）に示すようにキャップカム３０が矢印Ｂ方向に回転を始め、キャップホルダー２４を押圧してキャッピングを行う。この時、キャリッジ１６の保持部１６ａにキャップホルダー２４の係止部２４ａが係合し、キャリッジ１６は定位置に保持される。また、この時、（Ｃ）に示すように吸引カム２９も矢印Ｂ方向に回転するが、吸引ポンプ３２は未だ動作していない。第３図は回復ギヤ２７がさらに回転してインク吸引を行う状態を示す。回復ギヤ２７が同じ位置（Ａ）でさらに矢印Ｂ方向に回転すると、（Ｂ）に示すように、キャップゴム２５は印字ヘッド２０のノズル面に圧接し、キャップホルダー２４の押圧端２４ｃはキャップカム３０のカム面３０ａに完全に乗り上げ、キャッピングが終了する。」（３頁右下欄１４行〜４頁左上欄１２行）
等が記載され、
　実施例として、第１図に、角棒状の係止部２４ａを、キャップホルダー２４の両側に一つづつ、キャップゴム２５より下の部位に配置すること、また、第２，３図に、保持部１６ａの両側を二つの係止部２４ａで係止することが記載されている。
　これらの記載を対比のためにまとめると、甲第１号証には、印字ヘッド２０の吐出口からインクを吐出して被記録材に記録を行なうインクジェット記録装置において、前記印字ヘッド２０の吐出口に向かって前進して該吐出口をキャッピングするためのキャップゴム２５と、前記印字ヘッド２０を搭載して往復移動するキャリッジ１６と、前記キャップゴム２５の前進方向と同じ方向に移動することによりキャッピング位置にある前記キャリッジ１６を該キャリッジ１６の往復移動の両方向に関して固定できる係止部２４ａと、を有し、前記係止部２４ａにより前記キャリッジ１６を固定した後に、前記キャップゴム２５により前記印字ヘッド２０の吐出口をキャッピングすることを特徴とするインクジェット記録装置、が記載されている。
　
　２）甲第２号証：特開平３−１２１８７４号公報
　ａ．「ここで記録媒体との対向面にそれぞれインク吐出口を配列したインクジェット記録ヘッド１−１〜１−４を搭載したキャリッジ２は、ガイドシャフト３上にその軸方向に摺動可能に支持されている。」（２頁右上欄８〜１２行）
　ｂ．「キャリッジ２を記録装置左端にあるキャップ装置１５のヘッドキャップ１６−１〜１６−４の位置に移動させ、ヘッド１−１〜１−４のインク吐出口形成面にキャッピングを行う。」（３頁左上欄１２〜１５行）
　ｃ．「前記搬送手段によって搬送される記録媒体の搬送経路に沿って、前記記録ヘッドを往復移動させるためのステップモータ」（３頁右下欄５〜７行）
　ｄ．「また、本発明は、ステップモータを駆動源として用いてインクジェット記録ヘッドを記録走査のために移動させるインクジェット記録装置」（３頁右下欄１７〜１９行）
　ｅ．「従って、本例では、第１図のＡ位置より左側のキャリッジの位置はモータのステップ駆動の回数により制御される。すなわち後述のＭＰＵが適切なステップ数の信号を出力することにより、キャップ装置１５の位置にキャリッジ３を移動させることができる。」（４頁右上欄１２〜１７行）
　ｆ．「さらに、キャリッジ駆動モータ６の駆動方式をステップ駆動としてキャリッジ２をキャップ位置にまで移動させる（ステップＳ１１，Ｓ１３）。そこでキャップ装置１５とヘッドとを相対的に駆動し、キャップ１６−１〜１６−４をヘッド１−１〜１−４に冠着する（ステップＳ１５）。」（５頁左上欄１９行〜右上欄４行）
　ｇ．「そして記録動作（ステップＳ２３）においては、ＭＰＵ１００が位置カウンタ１００Ａにてスリット信号をカウントし、適切な位置にキャリッジが移動した時点で記録データおよび記録指令信号をヘッド駆動回路１０５に出力する。そして、ヘッド駆動回路１０５がヘッドの吐出口に関連して設けられた吐出エネルギ発生素子を制御し、インク滴を吐出させて記録媒体に記録を行う。」（５頁左下欄７〜１４行）
　ｈ．「なお、本発明は、特にインクジェット記録方式の中でもバブルジェット方式の記録ヘッド、記録装置において優れた効果をもたらすものである。」（６頁左上欄１０〜１２行）
　ｉ．「この方式は所謂オンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギを発生せしめ、記録ヘッドの熱作用面に膜沸騰を生じさせて、結果的にこの駆動信号に一対一対応した液体（インク）内の気泡を形成できるので有効である。この気泡の成長，収縮により吐出用開口を介して液体（インク）を吐出させて、少なくとも１つの滴を形成する。」（６頁左上欄２０行〜右上欄１３行）
等が記載されている。
　
　３）甲第３号証：実願平１−９６２２０号（実開平３−７９９３７号）のマイクロフイルム
　ａ．「第４図に示すように、ヘッド１０の左端１０ａがストッパ部材１８に当接し、ヘッド１０はホームポジションで停止する。しかし、ベルト１４はなお駆動し続ける。これにより、キャリッジ手段１２がバネ１６に抗してヘッド１０に対して前進する。そうすると、第５図に示すように、このキャリッジ部材１２の前進移動によってレバー３２の端面３２ｂが押し込まれ、レバー３２は軸３４を中心として時計方向に回動する。そして、このレバー３２の回動がレバー３２の端部の案内孔３２ａとガイドピン３０を介して支持材２２の往動駆動に変換される。その結果、支持材２２およびキャップ部材２０はバネ２８に抗しながら往動し、キャップ部材２０はヘッド１０のノズル部１１に圧接するようにして被着する。」（１１頁１〜１６行）
　ｂ．「ヘッド１０をストッパ部材１８で完全に静止させた状態で、キャップ部材２２を係着せしめるので、位置ズレを起こすことなく、正しく被せることができる。」（１２頁１３〜１７行）
等が記載されている。
　
（３）対比・判断
　１）本件発明１について
　本件発明１と甲第１号証に記載された発明とを対比するに、甲第１号証記載の発明の印字ヘッド２０とキャップゴム２５は、それぞれ、本件発明１の記録手段とキャップに相当し、甲第１号証記載の発明の係止部２４ａはキャリッジをロックするためのものである点で本件発明１のキャリッジロック部に対応するから、両者は、「記録手段の吐出口からインクを吐出して被記録材に記録を行なうインクジェット記録装置において、前記記録手段の吐出口に向かって前進して該吐出口をキャッピングするためのキャップと、前記記録手段を搭載して往復移動するキャリッジと、前記キャップの前進方向と同じ方向に移動することによりキャッピング位置にある前記キャリッジを該キャリッジの往復移動の両方向に関して固定できるキャリッジロック部と、を有し、前記キャリッジロック部により前記キャリッジを固定した後に、前記キャップにより前記記録手段の吐出口をキャッピングすることを特徴とするインクジェット記録装置」である点で一致し、次の点で相違する。
　＜相違点＞キャリッジロック部が、本件発明１では、キャップの正面視において、該正面視における垂直成分がキャップと所定長さにわたり水平方向に重複するように配置され、キャリッジの往復移動の両方向に関しての固定を一箇所の嵌合で行うものであるのに対し、甲第１号証記載の発明では、キャリッジロック部に対応する係止部２４ａが、角棒状であり、キャップに相当するキャップゴム２５より下の部位の左右に配置され、キャリッジの往復移動の両方向に関しての固定を二箇所の係合で行うものである点。
　
　相違点について検討するに、キャリッジロック部が、キャップの正面視において、該正面視における垂直成分がキャップと所定長さにわたり水平方向に重複するように配置されることも、キャリッジの往復移動の両方向に関しての固定を一箇所の嵌合で行うことも、甲第２，３号証には記載されていない。
　甲第２号証記載の発明はステップモータであるキャリッジ駆動モータ６の停止によってキャリッジ２を固定するものであり、甲第３号証記載の発明のストッパ部材１８はキャリッジ部材１２を固定せずにヘッド１０の一側に単に当接してヘッド１０を一方向について固定するものであって、これらから上記相違点に係る本件発明１の構成が容易に想起されるとも認められない。
　そして、本件発明１は、そのキャリッジロック部が、図４に示されるように、キャップの正面視において、該正面視における垂直成分がキャップと所定長さにわたり水平方向に重複するように配置されていることにより、図７に示すキャッピング状態において、キャップあるいはキャリッジに想定外の力、例えば両者間に相対的な回転ずれを生じさせるような力が働いたとしても、そのような力によるずれが生じないようにキャリッジを確実に固定できて、ヘッドに対するキャップのずれや変形を防止できるという効果を期待できるのであり、しかも、一箇所の嵌合だけで、キャリッジの往復移動の両方向に関しての固定に加えて、該効果を期待できるものである。
　仮に、甲第１号証記載の発明の、キャップゴム２５より下の部位の左右２箇所に配置された角棒状の係止部２４ａを若干縦長にすることが容易であると仮定しても、左右から挟んで係止固定するために２箇所に配置されているものを、１箇所だけの配置とし、かつ、該若干縦長としたものを嵌合のための凸部とすることまでもが当業者において容易に想起できることとは認められない。
　したがって、本件発明１は、甲第１乃至３号証に記載された発明に基づいて当業者が容易に発明をすることができたものとは認められない。
　
　２）本件発明２乃至６について
　本件発明２乃至６は、本件発明１に係る構成要件の全てを構成要件の一部とすることから、上述した本件発明１についての判断と同じ理由により、甲第１乃至３号証に記載された発明に基づいて当業者が容易に発明をすることができたものとは認められない。
　
４．むすび
　以上のとおりであるから、特許異議の申立ての理由によっては本件発明１乃至６についての特許を取り消すことはできない。
　また、他に本件発明１乃至６についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年９月１８日（２００１．９．１８）
【訂正の要旨】
　訂正の要旨
　１）訂正事項ａ
　本件特許明細書の特許請求の範囲の請求項１中の、「前記記録手段の吐出口をキャッピングするためのキャップと、」を「前記記録手段の吐出口に向かって前進して該吐出口をキャッピングするためのキャップと、」に訂正し、「該キャリッジの往復移動方向に関して前記キャリッジを固定するためのキャリッジロック部と、」を「前記キャップの正面視において、該正面視における垂直成分が前記キャップと所定長さにわたり水平方向に重複するように配置され、前記キャップの前進方向と同じ方向に移動することによりキャッピング位置にある前記キャリッジを一箇所の嵌合で該キャリッジの往復移動の両方向に関して固定できるキャリッジロック部と、」に訂正する。
　２）訂正事項ｂ
　本件特許明細書の段落【００１１】及び段落【００４２】中の、「前記記録手段の吐出口をキャッピングするためのキャップと、」を「前記記録手段の吐出口に向かって前進して該吐出口をキャッピングするためのキャップと、」に訂正し、「該キャリッジの往復移動方向に関して前記キャリッジを固定するためのキャリッジロック部と、」を「前記キャップの正面視において、該正面視における垂直成分が前記キャップと所定長さにわたり水平方向に重複するように配置され、前記キャップの前進方向と同じ方向に移動することによりキャッピング位置にある前記キャリッジを一箇所の嵌合で該キャリッジの往復移動の両方向に関して固定できるキャリッジロック部と、」に訂正する。
（５４）【発明の名称】
インクジェット記録装置
（５７）【特許請求の範囲】
　【請求項１】　記録手段の吐出口からインクを吐出して被記録材に記録を行なうインクジェット記録装置において、
　前記記録手段の吐出口
に向かって前進して該吐出口
　前記記録手段を搭載して往復移動するキャリッジと、
　
前記キャップの正面視において、該正面視における垂直成分が前記キャップと所定長さにわたり水平方向に重複するように配置され、前記キャップの前進方向と同じ方向に移動することによりキャッピング位置にある前記キャリッジを一箇所の嵌合で該キャリッジの往復移動の両方向に関して固定できる
　を有し、
　前記キャリッジロック部により前記キャリッジを固定した後に、前記キャップにより前記記録手段の吐出口をキャッピングすることを特徴とするインクジェット記録装置。
　【請求項２】　前記キャリッジが前記吐出口をキャッピングし得る位置にきたときに前記キャップおよび前記キャリッジロック部を一体もしくは連動して該キャリッジに向けて移動させ、前記キャップが前記記録手段に当接するまでの移動距離を前記キャリッジロック部が前記キャリッジに対し該キャリッジの位置決めに最低必要な長さだけ嵌合するまでの移動距離より長く設定することを特徴とする請求項１に記載のインクジェット記録装置。
　【請求項３】　前記キャップおよび前記キャリッジロック部は、前記キャリッジに対し前進後退方向に移動可能なキャップホルダーに設けられていることを特徴とする請求項１又は２に記載のインクジェット記録装置。
　【請求項４】　前記キャリッジロック部が前記キャリッジに対し該キャリッジの位置決めに最低必要な長さだけ嵌合した後に、前記キャップの記録手段に向かう移動を開始させることを特徴とする請求項１に記載のインクジェット記録装置。
　【請求項５】　前記記録手段は、熱エネルギーを利用してインクを吐出するインクジェット記録手段であって、熱エネルギーを発生するための電気熱変換体を備えたものであることを特徴とする請求項１〜４のいずれかに記載のインクジェット記録装置。
　【請求項６】　前記記録手段は、前記電気熱変換体によって印加される熱エネルギーによりインクに生じる膜沸騰を利用して、吐出口よりインクを吐出させることを特徴とする請求項５に記載のインクジェット記録装置。
【発明の詳細な説明】
　【０００１】
　【産業上の利用分野】
　本発明は、記録手段から被記録材へインクを吐出させて記録を行うインクジェット記録装置に関する。
　【０００２】
　【従来の技術】
　プリンタ、複写機、ファクシミリ等の機能を有する記録装置、あるいはコンピューターやワードプロセッサ等を含む複合型電子機器やワークステーションの出力機器として用いられる記録装置は、画像情報に基づいて用紙やプラスチック薄板等の被記録材（記録媒体）に画像を記録していくように構成されている。前記記録装置は、記録方式により、インクジェット式、ワイヤドット式、サーマル式、レーザービーム式等に分けることができる。
　【０００３】
　被記録材の搬送方向（副走査方向）と交叉する方向に主走査するシリアルスキャン方式を採るシリアルタイプの記録装置においては、被記録材を所定の記録位置にセットした後、被記録材に沿って移動するキャリッジ上に搭載した記録手段）によって画像を記録（主走査）し、１行分の記録を終了した後に所定量の紙送り（ピッチ搬送）を行い、その後に再び停止した被記録材に対して、次の行の画像を記録（主走査）するという動作を繰り返すことにより、被記録材全体の記録が行われる。一方、被記録材の搬送方向の副走査のみで記録するラインタイプの記録装置においては、被記録材を所定の記録位置にセットし、一括して１行分の記録を行った後、所定量の紙送り（ピッチ搬送）を行い、さらに、次の行の記録を一括して行うという動作を繰り返すことにより、被記録材全体の記録が行われる。
　【０００４】
　上記記録装置のうち、インクジェット式の記録装置（インクジェット記録装置）は、記録手段（記録ヘッド）から被記録材にインクを吐出して記録を行うものであり、記録手段のコンパクト化が容易であり、高精細な画像を高速で記録することができ、普通紙に特別の処理を必要とせずに記録することができ、ランニングコストが安く、ノンインパクト方式であるため騒音が少なく、しかも、多色のインクを使用してカラー画像を記録するのが容易であるなどの利点を有している。中でも、紙幅方向に多数の吐出口を配列したラインタイプの記録手段を使用するライン型の装置は、記録の一層の高速化が可能である。
　【０００５】
　特に、熱エネルギーを利用してインクを吐出するインクジェット式の記録手段（記録ヘッド）は、エッチング、蒸着、スパッタリング等の半導体製造プロセスを経て、基板上に製膜された電気熱変換体、電極、液路壁、天板などを形成することにより、高密度の液路配置（吐出口配置）を有するものを容易に製造することができ、一層のコンパクト化を図ることができる。一方、被記録材の材質に対する要求も様々なものがあり、近年では、通常の被記録材である紙や樹脂薄板（ＯＨＰ等）などの他に、薄紙や加工紙（ファイリング用のバンチ孔付き紙やミシン目付き紙、任意な形状の紙など）などを使用することが要求されるようになってきた。
　【０００６】
　上記インクジェット記録装置では、記録ヘッドの吐出口内のインク乾燥を防止したり、吐出口内へのゴミ等の侵入を防止するため、不使用時にキャップで吐出口（吐出口形成面）を密閉する動作（キャッピング）が行なわれている。このキャップは、シール性を保持するため、少なくともその密着面がゴム状弾性材で形成されている。図８および図９は従来の回復系およびキャリッジの模式的部分平面図であり、図８はキャッピング動作前の状態を、図９はキャッピング動作完了時の状態の一例を示す。
　【０００７】
　図８および図９において、キャリッジ３にはキャリッジロック嵌合部７４が設けられ、回復系１３にはキャリッジロック部７０が設けられている。そして、キャリッジ３が回復系１３と対向する位置にきた時には、前記キャリッジロック嵌合部７４と前記キャリッジロック部７０が相対するようになっている。また、一般的に、キャリッジ３の位置が多少ずれてもキャッピングできるように、キャリッジロック部７０およびキャリッジロック嵌合部７４とも、それらのコーナーには図示のように面取りが成されている。
　【０００８】
　【発明が解決しようとする課題】
　しかしながら、従来のインクジェット記録装置では、図８に示すように、キャリッジロック部７０とキャリッジロック嵌合部７４との距離Ｊと、記録ヘッド２とキャップ５３との距離Ｋがほぼ同じに構成されており、キャッピングとキャリッジ３の位置決めが同時に行なわれるのが一般的であった。また、前述のように、キャリッジ３の位置検出精度の誤差、機械的寸法精度の誤差等による多少の位置ズレを救えるようにキャリッジロック部７０およびキャリッジロック嵌合部７４ともコーナーに面取りが成されている。
　【０００９】
　そのため、キャリッジ３がずれた位置でキャッピングが行われようとした場合、キャリッジロック部７０とキャリッジロック嵌合部７４の面取り部同志が倣って嵌合し、キャリッジ３を移動させながらキャッピングすることになるので、図９に示すように、キャップ５３が記録ヘッド２に対し曲がった状態でキャッピングされてしまうという事態が生じ、キャップ５３と記録ヘッド２の密閉性を悪化させたり、そのまま放置した場合にはキャップ５３が変形してしまうという課題があった。
　【００１０】
　本発明はこのような技術的課題に鑑みてなされたものであり、本発明の目的は、キャリッジに搭載された記録手段にキャップを密着させてキャッピングする際の当該キャップの変形やズレを無くすことにより、キャップと記録手段との密閉性の悪化を防止するとともに、キャップの不都合な変形を無くして確実なキャッピングを行なうことができ、良好なキャッピング性能および良好な回復機能を発揮し得るインクジェット記録装置を提供することである。
　【００１１】
　本発明（請求項１）は、上記目的を達成するため、記録手段の吐出口からインクを吐出して被記録材に記録を行なうインクジェット記録装置において、前記記録手段の吐出口
に向かって前進して該吐出口
前記キャップの正面視において、該正面視における垂直成分が前記キャップと所定長さにわたり水平方向に重複するように配置され、前記キャップの前進方向と同じ方向に移動することによりキャッピング位置にある前記キャリッジを一箇所の嵌合で該キャリッジの往復移動の両方向に関して固定できる
　また、請求項２の発明は、上記構成に加えて、前記キャリッジが前記吐出口をキャッピングし得る位置にきたときに前記キャップおよび前記キャリッジロック部を一体もしくは連動して該キャリッジに向けて移動させ、前記キャップが前記記録手段に当接するまでの移動距離を前記キャリッジロック部が前記キャリッジに対し該キャリッジの位置決めに最低必要な長さだけ嵌合するまでの移動距離より長く設定する構成とすることにより、一層効率よく上記目的を達成するものである。
　【００１２】
　【実施例】
　以下、図面を参照して本発明の実施例を詳細に説明する。図１は本発明を適用したインクジェット記録装置の一実施例を示す斜視図である。図１において、用紙やプラスチック薄板などの記録シート（記録媒体）１は、手差しあるいはカットシートフィーダー等の給紙装置によってプリンタ部に送り込まれ、紙送りローラ（図示せず）の回転量を制御することにより、記録部（頭出し位置）へ搬送され記録開始状態にセットされる。記録手段（記録ヘッド）２はインクジェット記録ヘッドであり、この記録ヘッド２はキャリッジ３に取り付けられている。インクジェット記録装置の場合は、記録ヘッド２の前面（吐出口形成面）に複数の吐出口が縦に並べて設けられている。前記キャリッジ３は、摺動軸４および５で往復移動可能に支持され、駆動モーター６により、該駆動モーター６とアイドルプーリ７の間に張ったタイミングベルト８を介して往復駆動される。このキャリッジ３を、被記録材１の桁方向（被記録材１を横切る方向）に主走査させて１ライン分の画像を記録し、１ライン記録するごとに紙送りによって副走査して次のラインを記録していく。
　【００１３】
　記録ヘッド２と対向する位置には、記録シート１を搬送経路に沿って案内するガイド板を兼ねるプラテン９が配置されている。プラテン９は、板金にヒーター線（図示せず）を貼り付けて面ヒータとすることで定着装置を兼ねる場合もある。被記録材１は、記録ヘッド２が主走査する範囲である記録領域の下側（上流側）の該記録領域にできるだけ近い部分で、紙押さえ板１０によりプラテン９に押し付けられており、これによって、被記録材１の浮きが防止されている。記録部を通過した被記録材１は、その搬送方向下流側に配置された排出ローラ１１とこれに圧接される拍車ローラ１２によって排出されていく。
　【００１４】
　一方、記録ヘッド２と対向する位置であってプラテン９から外れた位置には、記録ヘッド２のインク吐出不良を良好な状態に回復するための回復系１３が設けられている。また、紙送りローラ（搬送ローラ）には被記録材１を手動で搬送するための紙送りノブ１４が設けられている。
　【００１５】
　前記記録ヘッド（記録手段）２は、熱エネルギーを利用してインクを吐出するインクジェット記録手段であって、熱エネルギーを発生するための電気熱変換体を備えたものである。また、前記記録ヘッド２は前記電気熱変換体によって印加される熱エネルギーにより生じる膜沸騰により気泡の成長、収縮によって生じる圧力変化を利用して、吐出口よりインクを吐出させ、記録を行うものである。
　【００１６】
　図２は、前記記録ヘッド２のインク吐出部の構造を模式的に示す部分斜視図である。図２において、記録シート１と所定の隙間（例えば、約０．５〜２．０ミリ程度）をおいて対面する吐出口形成面２１には、所定のピッチで複数の吐出口２２が形成され、共通液室２３と各吐出口２２とを連通する各液路２４の壁面に沿ってインク吐出用のエネルギーを発生するための電気熱変換体（発熱抵抗体など）２５が配設されている。本例においては、記録ヘッド２は、前記吐出口２２がキャリッジ３の走査方向と交叉する方向に並ぶような位置関係で、該キャリッジ３に搭載されている。こうして、画像信号または吐出信号に基づいて対応する電気熱変換体２５を駆動（通電）して、液路２４内のインクを膜沸騰させ、その時に発生する圧力によって吐出口２２からインクを吐出させる記録ヘッド２が構成されている。
　【００１７】
　図３は前記回復系１３を含むインクジェット装置のインク流路の概略を示す模式図である。吸引式の回復系１３は記録ヘッド２の吐出口２２からインクを吸引するための負圧を発生するポンプ部５４と、記録ヘッド２の吐出口形成面２１に密着（キャッピング）してその間に密閉空間を作るキャップ５３と、該キャップの内部空間を大気に連通させるための大気連通部５９とを有する。この大気連通部５９は、インク吸引量のコントロールを行ったり、キャッピング時に記録ヘッド２に空気を押し込むことを防止したりするためのものである。前記回復系１３は、図３中で一点鎖線で囲まれた部位である。また、図３において点線で囲まれた部位は、シリアル記録方式のインクジェット記録装置におけるキャリッジ３を示し、該キャリッジ３には記録ヘッド２とサブタンク６３が搭載されている。
　【００１８】
　図３中のその他の主要部分はインク供給系であり、このインク供給系は、記録装置本体に着脱可能なインクカートリッジ５０、インク取り出し用の中空針６４、圧力センサ形態のインク残量センサ６５などを含み、これらはインク供給チューブ５２、サブタンクチューブ６６、廃インクチューブ５６で接続されている。
　【００１９】
　ここで、前記インクカートリッジ５０は、インクを収容したインクパック６７と廃インク吸収体６８を有する。インクパック６７はアルミニウムと樹脂とをラミネートして形成された袋であり、その中にインクが充填されている。一方、廃インク吸収体６８は吸引ポンプ５４からの廃インクを吸収保持するために設けられたものであり、インクパック６７内のインクがなくなるとインクカートリッジ５０ごと交換されることになる。
　【００２０】
　中空針６４は、記録装置本体側のインクパック６７と対向する部位に配置されている。この中空針６４は、例えばステンレス製の管の端を尖端状にし、開口部を閉塞した後、先端部近傍の周面に数個のインク連通用小孔を形成したものである。インク残量センサ６５も記録装置本体側に取り付けされており、このインク残量センサ６５は、供給チューブ５２の途中に設けられて該供給チューブ５２内の圧力を検知することにより、インク残量を検出する。すなわち、インクパック６７内のインクが少なくなると、供給チューブ５２内の圧力（インクパック６７内の圧力）が低下してインク残量センサ６５のスイッチがオフになり、インクの残量が少なくなったことが検出される。
　【００２１】
　図４はインクジェット記録装置の回復系１３の概略構造を示す模式的斜視図である。図４において、吸引回復系１３の内部には、ピストン５５を往復動させることによって吸引負圧を発生させるポンプ部５４が設けられており、該ポンプ部５４はキャップチューブ７２によってキャップ５３に接続されている。キャップ５３を支持するキャップホルダー７１は、記録ヘッド２の吐出口２２を密閉するキャッピング位置と記録ヘッド２から離れる（退避する）リリース位置との間を移動することができる。このキャップホルダー７１には、記録ヘッド２の吐出口形成面２１を拭き取り清掃（ワイピング）するための拭き部材６９が設けられている。この拭き部材６９は、例えば、エーテル系ポリウレタンの連続気孔体で形成されている。
　【００２２】
　前記拭き部材６９が記録ヘッド２とオーバーラップする位置まで前記キャップホルダー７１を前進させた状態で、記録ヘッド２が拭き部材６９の前面を左から右へ通過するようにキャリッジ３を移動させることにより、記録ヘッド２の吐出口形成面２１に付着したインクや不純物などが除去され、記録ヘッド２の吐出安定性が確保される。
　【００２３】
　さらに前記キャップホルダー７１には、キャリッジロック部７０が設けられている。このキャリッジロック部７０は、キャリッジ３（場合によっては、記録ヘッド２）の凹部と嵌合することにより、キャップ５３に対するキャリッジ３の位置決めと固定を行うためのものである。なお、前記ポンプ部５４の底部に設けられた廃インク口には、廃インクチューブ５６が接続されており、ポンプ部５４によって吐出口２２または吐出口形成面２１から吸引されたインクは廃インクとして排出される。
　【００２４】
　図５〜図７は、回復系１３と記録ヘッド２との位置関係を示す模式的平面図であり、図５はキャッピング動作前、図６はキャッピング動作途中、図７はキャッピング動作完了時の状態を示す。図５〜図７において、記録ヘッド２およびサブタンク６３を搭載したキャリッジ３は前摺動軸４に沿って往復移動する。前記サブタンク６３には、インクタンクからの供給チューブ５２とポンプ部５４へ至るサブタンクチューブ６６が接続されている。また、キャリッジ３には、キャップホルダー７１に設けられた前記キャリッジロック部７０が嵌合（係合）可能なキャリッジロック嵌合部（孔または切欠き）７４が設けられている。
　【００２５】
　前記キャップ５３、前記拭き部材６９および前記キャリッジロック部７０は、前記キャップホルダー７１に設けられている。そこで、このキャップホルダー７１は、回復系１３に対し、前後方向、すなわち、記録ヘッド２およびキャリッジ３に向かう方向に前進後退可能（移動可能）に装着されている。前記キャップホルダー７１は、キャップホルダーバネ７３のバネ力によって前進方向（キャッピング方向）に付勢されている。また、このキャップホルダー７１の後退方向（キャッピング解除方向）への移動および退避位置（通常位置）への保持は、不図示のカム手段によって行なわれる。
　【００２６】
　そこで、本実施例においては、記録ヘッド（記録手段）２をキャップ５３でキャッピングし得る位置へキャリッジ３が移動してきた時、前記キャリッジロック部７０によりキャリッジ３を所定位置（キャッピング位置または回復動作位置）に固定した後に、キャップ５３で吐出口２２をキャッピング（密閉）するように構成されている。また、キャッピング手段（キャップ）５３とキャリッジロック部７０は、いずれもキャップホルダー７１に設けられ、互いに一体もしくは連動して移動するように構成されている。さらに、その場合、キャッピング手段５３から記録ヘッド２までの距離よりキャリッジロック部７０からキャリッジ３までの距離の方が短くなるように構成されている。
　【００２７】
　本実施例では、図５に示すように、キャリッジロック部７０は、キャップ５３より、キャリッジ３側（記録ヘッド２側）に、距離Ｌだけ余分に突出している。この距離Ｌは、キャリッジロック部７０とキャリッジ３の嵌合部７４が嵌合し始めた時に、キャップ５３が未だ記録ヘッド２の吐出口形成面（前面）２１に到達しない長さに設定されている。
　【００２８】
　キャッピング時にキャップホルダー７１を前進させることにより、キャップホルダー７１がバネ７３によってキャッピング方向へ移動することに連動して、キャリッジロック部７０は嵌合部７４に嵌合し、キャリッジ３はキャップ５３に対し適正位置に固定される。この移動の途中で、図６に示すような状態となる。すなわち、図６に示すように、キャリッジロック部７０がキャリッジ３の位置決めに最低必要な長さＭだけ嵌合部７４に嵌合した時、キャップ５３と記録ヘッド２との間には未だ距離Ｎが保たれている。この距離Ｎは、極めて僅かな寸法でもよい。このため、キャップホルダー７１をさらに前進させることにより、キャリッジ３が先ずキャップ５３に対し適正位置に固定された後に、キャップ５３が記録ヘッド２の吐出口形成面２１に当接し、記録ヘッド２がキャッピングされることになる。したがって、ゴム状弾性材等で形成されたキャップ５３は、記録ヘッド２との相対移動によってズレたり変形することなく、図７に示すように、良好な姿勢で圧接され、確実な密閉性が得られるキャッピング動作を行なうことが可能となる。
　【００２９】
　なお、前述の実施例では、キャップ５３とキャリッジロック部７０の両方をキャップホルダー７１に設け、該キャップホルダー７１の移動に連動して記録ヘッド２のキャッピングおよびキャリッジ３の固定を行ったが、キャップ５３とキャリッジロック部７０を独立して前進後退移動させるように構成してもよい。その場合のキャッピング動作としては、先ずキャリッジロック部７０がキャリッジ３の嵌合部７４に侵入し、図６中の距離Ｍに相当する距離またはそれ以上嵌合した後に、キャップ５３の前進を開始するように構成することができる。このような構成によれば、前述の実施例に比べ、キャリッジロック部７０の長さおよびストローク（移動量）を比較的短く設定することが可能となる。
　【００３０】
　また、図示の実施例では、キャリッジホルダー７１を前後動させることによって、キャップ５３のキャッピング状態とリリース状態を実現させたが、軸等を支点とする回転動作によってキャッピング状態とリリース状態を実現させるように構成してもよい。さらに、前述の実施例では、記録装置本体側のインクタンク（インク供給源）６７から、チューブ５２を通してキャリッジ３上のサブインクタンク６３（記録ヘッド２の場合もある）へインクを供給する構成のインクジェット記録装置について説明したが、本発明は、インク供給源としてのインクタンクがキャリッジ上に搭載されるインクジェット記録装置や、記録ヘッド２とインクタンクが一体である使い捨て式（カートリッジタイプ）の記録手段を用いるインクジェット記録装置においても同様に実施することができ、同様の効果を達成し得るものである。
　【００３１】
　さらに、前述の実施例では、１個の記録手段（記録ヘッド）２を用いる単色記録用のインクジェット記録装置を例に挙げて説明したが、本発明は、異なる色のインクで記録する複数個の記録手段を用いるカラー記録用のインクジェット記録装置あるいは同一色彩で濃度の異なるインクで記録する複数の記録手段を用いる階調記録用のインクジェット記録装置など、記録手段の数に関係なく同様に適用することができ、同様の作用効果を達成し得るものである。
　【００３２】
　なお、本発明は、インクジェット記録装置であれば、例えば、ピエゾ素子等の電気機械変換体等を用いる記録手段（記録ヘッド）を使用するものに適用できるが、中でも、熱エネルギーを利用してインクを吐出する方式のインクジェット記録装置において優れた効果をもたらすものである。かかる方式によれば、記録の高密度化、高精細化が達成できるからである。
　【００３３】
　その代表的な構成や原理については、例えば、米国特許第４７２３１２９号明細書、同第４７４０７９６号明細書に開示されている基本的な原理を用いて行うのが好ましい。この方式は、所謂オンデマンド型、コンティニュアス型のいずれにも適用可能であるが、特に、オンデマンド型の場合には、液体（インク）が保持されているシートや液路に対応して配置されている電気変換体に、記録情報に対応していて核沸騰を越える急速な温度上昇を与える少なくとも一つの駆動信号を印加することによって、電気熱変換体に熱エネルギーを発生せしめ、記録手段（記録ヘッド）の熱作用面に膜沸騰させて、結果的にこの駆動信号に一対一対応し液体（インク）内の気泡を形成出来るので有効である。
　【００３４】
　この気泡の成長、収縮により吐出用開口を介して液体（インク）を吐出させて、少なくとも一つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書、同第４３４５２６２号明細書に記載されているようなものが適している。尚、上記熱作用面の温度上昇率に関する発明の米国特許第４３１３１２４号明細書に記載されている条件を採用すると、更に優れた記録を行うことができる。
　【００３５】
　記録ヘッドの構成としては、上述の各明細書に開示されているような吐出口、液路、電気熱変換対の組み合わせ構成（直線状液流路又は直角液流路）の他に熱作用部が屈曲する領域に配置されている構成を開示する米国特許第４５５８３３３号明細書、米国特許第４４５９６００号明細書を用いた構成も本発明に含まれるものである。加えて、複数の電気熱変換体に対して、共通するスリットを電気熱変換体の吐出部とする構成を開示する特開昭５９年第１２３６７０号公報や熱エネルギーの圧力波を吸収する開孔を吐出部に対応させる構成を開示する特開昭５９年第１３８４６１号公報に基づいた構成としても本発明は有効である。すなわち、記録ヘッドの形態がどのようなものであっても、本発明によれば、記録を確実に効率よく行うことができるようになるからである。
　【００３６】
　さらに、記録装置が記録できる被記録材（記録媒体）の最大幅に対応した長さを有するフルラインタイプの記録ヘッドに対しても、本発明は有効に適用できる。そのような記録ヘッドとしては、複数記録ヘッドの組み合わせによってその長さを満たす構成や、一体的に形成された１個の記録ヘッドとしての構成のいずれでもよい。加えて、上例のようなシリアルタイプのものでも、装置本体に固定された記録ヘッド、あるいは装置本体に装着されることで装置本体との電気的な接続や装置本体からのインクの供給が可能になる交換自在のチップタイプの記録ヘッド、あるいは記録ヘッド事態に一体的にインクタンクが設けられたカートリッジタイプの記録ヘッドを用いた場合にも本発明は有効である。
　【００３７】
　また、本発明の記録装置の構成として設けられる、記録ヘッドに対しての回復手段、予備的な補助手段等を付加することは本発明の効果を一層安定できるので好ましいみのである。これらを具体的に挙げれば、記録ヘッドに対しての、キャッピング手段、クリーニング手段、加圧或は吸引手段、電気熱変換体或はこれとは別の加熱素子或いはこれらの組み合わせによる予備熱手段、記録とは別の吐出を行う予備吐出モードを行うことも安定した記録を行うために有効である。
　【００３８】
　また、搭載される記録ヘッドの種類ないし個数についても、例えば、単色のインクに対応して１個のみが設けられたものの他、記録色や濃度を異にする複数のインクに対応して複数個数設けられるものであってもよい。すなわち、例えば、記録装置の記録モードとしては、黒色等の主流色のみの記録モードだけではなく、記録ヘッドを一体的に構成するか複数個の組み合わせによるか、いずれでもよいが、異なる色の複数カラー又は、混色によるフルカラーの少なくとも一つを備えた装置にも本発明は極めて有効である。
　【００３９】
　さらに加えて、以上説明した本発明実施例においては、インクを液体として説明しているが、室温やそれ以下で固化するインクであって、室温で軟化もしくは液化するもの、あるいは、インクジェット方式では、インク自わ３０℃以上７０℃以下の範囲内で温度調整を行ってインクの粘性を安定吐出範囲にあるように温度制御するものが一般的であるから、使用記録信号付与時にインクが液状をなすものであればよい。加えて、積極的に熱エネルギーによる昇温をインクの固形状態から液体状態への状態変化のエネルギーとして使用せしめることで防止するか、または、インクの蒸発防止を目的として放置状態で固化するインクを用いるかして、いずれにしても、熱エネルギーの記録信号に応じた付与によってインクが液化し、液状インクが吐出されるものや、記録媒体に到達する時点ではすでに固化し始めるもの等のような、熱エネルギーによって初めて液化する性質のインクを使用する場合も本発明は適用可能である。
　【００４０】
　本発明においては、上述した各インクに対して最も有効なものは、上述した膜沸騰方式を実行するものである。
　【００４１】
　さらに加えて、本発明によるインクジェット記録装置の形態としては、コンピュータ等の情報処理機器の画像出力端末として用いられるものの他、リーダ等と組み合わせた複写装置、さらには送受信機能を有するファクシミリ装置の形態を採るもの等であってもよい。
　【００４２】
　【発明の効果】
　以上の説明から明らかなように、請求項１の発明によれば、記録手段の吐出口からインクを吐出して被記録材に記録を行なうインクジェット記録装置において、前記記録手段の吐出口
に向かって前進して該吐出口
前記キャップの正面視において、該正面視における垂直成分が前記キャップと所定長さにわたり水平方向に重複するように配置され、前記キャップの前進方向と同じ方向に移動することによりキャッピング位置にある前記キャリッジを一箇所の嵌合で該キャリッジの往復移動の両方向に関して固定できる
　キャリッジに搭載された記録手段にキャップを密着させてキャッピングする際の当該キャップの変形やズレを無くすことにより、キャップと記録手段との密閉性の悪化を防止するとともに、キャップの不都合な変形を無くして確実なキャッピングを行なうことができ、良好なキャッピング性能および良好な回復機能を発揮し得るインクジェット記録装置が提供される。
　【００４３】
　請求項２〜４の発明によれば、上記請求項１の構成に加えて、前記キャリッジが前記吐出口をキャッピングし得る位置にきたときに前記キャップおよび前記キャリッジロック部を一体もしくは連動して該キャリッジに向けて移動させ、前記キャップが前記記録手段に当接するまでの移動距離を前記キャリッジロック部が前記キャリッジに対し該キャリッジの位置決めに最低必要な長さだけ嵌合するまでの移動距離より長く設定する構成、前記キャップおよび前記キャリッジロック部は、前記キャリッジに対し前進後退方向に移動可能なキャップホルダーに設けられている構成、あるいは、前記キャリッジロック部が前記キャリッジに対し該キャリッジの位置決めに最低必要な長さだけ嵌合した後に、前記キャップの記録手段に向かう移動を開始させる構成としたので、一層効率よく上記効果を達成し得るインクジェット記録装置が提供される。
【図面の簡単な説明】
　【図１】
　本発明を適用したインクジェット記録装置の一実施例を示す斜視図である。
　【図２】
　図１中に示す記録ヘッドのインク吐出部の構造を模式的に示す部分斜視図である。
　【図３】
　図１中の回復系を含む記録装置のインク供給系を示す模式図である。
　【図４】
　図１中の回復系の概略構成を示す一部破断斜視図である。
　【図５】
　図１中の回復系およびキャリッジのキャッピング動作前の状態を示す模式的拡大平面図である。
　【図６】
　図１中の回復系およびキャリッジのキャッピング動作途中の状態を示す模式的拡大平面図である。
　【図７】
　図１中の回復系およびキャリッジのキャッピング動作完了時の状態を示す模式的拡大平面図である。
　【図８】
　従来のインクジェット記録装置における回復系およびキャリッジのキャッピング動作前の状態を示す模式的部分平面図である。
　【図９】
　従来のインクジェット記録装置における回復系およびキャリッジのキャッピング動作完了時の状態を示す模式的部分平面図である。
　【符号の説明】
　１　　　被記録材
　２　　　記録手段（記録ヘッド）
　３　　　キャリッジ
　４　　　摺動軸（キャリッジガイド軸）
　６　　　キャリッジ駆動モータ
　９　　　プラテン
　１１　　排出ローラ
　１３　　回復系
　２１　　吐出口形成面
　２２　　吐出口
　２５　　電気熱変換体
　５２　　インク供給チューブ
　５３　　キャッピング手段（キャップ）
　５４　　回復ポンプ部
　５６　　廃インクチューブ
　６９　　拭き部材（ワイピング部材）
　７０　　キャリッジロック部
　７１　　キャップホルダー
　７２　　キャップチューブ
　７３　　キャップホルダーバネ
　７４　　キャリッジロック嵌合部